(57)【要約】【課題】鍵の収納状態を直接的に検知できて、複雑な処理回路が不要となり構成簡易にして安価に形成し得ると共に、長期に亘り安定した動作が得られて信頼性を高めることが可能なキーボックスを提供する。【解決手段】ボックス本体、蓋体及び鍵の収納状態を検知する検知手段と、を備えたキーボックスであって、検知手段は、鍵が載置可能な変位板及び該変位板の変位を検知する歪みゲージを有し、蓋体を開放した状態で変位板上に鍵が載置された際に歪みゲージから所定の検知信号が出力されることを特徴とする。前記変位板は、その長手方向の一端側に設けられてボックス本体に固定される固定部と、長手方向の他端側に設けられて鍵が載置される鍵載置部と、該鍵載置部と固定部間に設けられて歪みゲージが固着される幅狭な括れ部とで形成される。【選択図】  図２
2008007982.tif 000002
【特許請求の範囲】
【請求項１】
鍵が所定状態で収納される鍵収納部を有するボックス本体と、該ボックス本体の鍵収納部の開口部を閉塞する蓋体と、前記鍵収納部への鍵の収納状態を検知する検知手段と、を備えたキーボックスであって、
前記検知手段は、鍵が載置可能な変位板及び該変位板の変位を検知する歪みゲージを有し、前記蓋体を開放した状態で変位板上に鍵が載置された際に歪みゲージから所定の検知信号が出力されることを特徴とするキーボックス。
【請求項２】
前記変位板は、その長手方向の一端側に設けられてボックス本体に固定される固定部と、長手方向の他端側に設けられて鍵が載置される鍵載置部と、該鍵載置部と固定部間に設けられた幅狭な括れ部とで形成され、前記括れ部に歪みゲージが固着されていることを特徴とする請求項１に記載のキーボックス。
【請求項３】
前記鍵載置部は、前記括れ部に連設された傾斜部と、該傾斜部の端部に設けられた水平部とを有し、鍵載置部上に載置される鍵の少なくとも一部が前記水平部側に位置して収納されることを特徴とする請求項２に記載のキーボックス。
【発明の詳細な説明】
【技術分野】
【０００１】
本発明は、例えば体育館等の出入口用ドアの錠を解錠／施錠するための鍵を収納するキーボックに関する。
【背景技術】
【０００２】
従来、この種のキーボックスとしては、例えば内部に鍵収納部を有するボックス本体の前面開口部に蓋体を開閉可能に設け、この蓋体がリモコン操作やカードリーダへのカードの差し込みにより開閉されると共に、蓋体の開閉状態がマイクロスイッチにより検知されるものが知られている。そして、このキーボックスは、マイクロスイッチの検知信号によりボックス本体内への鍵の収納状態（鍵の有無）が例えば警備会社等に通報されるようになっている。なお、マイクロスイッチを使用したキーボックスは、例えば特許文献１に開示されている。
【特許文献１】特開平１０−３１７７４２号公報
【発明の開示】
【発明が解決しようとする課題】
【０００３】
しかしながら、このようなキーボックスにあっては、マイクロスイッチが鍵収納部を閉塞する蓋体の開閉動作に連動してオン・オフする構造であることから、鍵収納部への鍵の収納状態を蓋体を介して間接的に検知する状態となって直接検知することができない。そのため、マイロスイッチの検知信号を処理する専用の処理回路が必要となり、キーボックスの構成が複雑化してコストアップを招き易い。また同時に、マイクロスイッチを蓋体の開閉動作に連動して確実にオン・オフさせるためにその位置調整が必要となり、その作業が面倒であると共に、マイクロスイッチに長期に亘り安定したオン・オフ動作が得られ難く、信頼性の面でも好ましくない。また、マイクロスイッチにより鍵の重量を検知する方法も考えられるが、この場合も使用する鍵の重量（１０ｇ前後）とマイクロスイッチの動作荷重（１００ｇ程度）の調整が必要となってその作業が面倒となり易い。
【０００４】
本発明は、このような事情に鑑みてなされたもので、その目的は、鍵の収納状態を直接的に検知できて、複雑な処理回路や各種調整作業が不要となり構成簡易にして安価に形成し得ると共に、長期に亘り安定した動作が得られて信頼性を高めることが可能なキーボックスを提供することにある。
【課題を解決するための手段】
【０００５】
かかる目的を達成すべく、本発明のうち請求項１に記載の発明は、鍵が所定状態で収納される鍵収納部を有するボックス本体と、該ボックス本体の鍵収納部の開口部を閉塞する蓋体と、前記鍵収納部への鍵の収納状態を検知する検知手段と、を備えたキーボックスであって、前記検知手段は、鍵が載置可能な変位板及び該変位板の変位を検知する歪みゲージを有し、前記蓋体を開放した状態で変位板上に鍵が載置された際に歪みゲージから所定の検知信号が出力されることを特徴とする。
【０００６】
そして、前記変位板は、請求項２に記載の発明のように、その長手方向の一端側に設けられてボックス本体に固定される固定部と、長手方向の他端側に設けられて鍵が載置される鍵載置部と、該鍵載置部と固定部間に設けられた幅狭な括れ部とで形成され、前記括れ部に歪みゲージが固着されていることが好ましい。また、前記鍵載置部は、請求項３に記載の発明のように、前記括れ部に連設された傾斜部と、該傾斜部の端部に設けられた水平部とを有し、鍵載置部上に載置される鍵の少なくとも一部が前記水平部上に位置して収納されることが好ましい。
【発明の効果】
【０００７】
本発明のうち請求項１に記載の発明によれば、ボックス本体の鍵収納部への鍵の収納状態を検知する検知手段が、鍵が載置可能な変位板及びこの変位板の変位を検知する歪みゲージを有し、蓋体を開放した状態で変位板上に鍵が載置された際に歪みゲージから所定の検知信号が出力されるため、鍵が載置されることで変位する変位板の変位を歪みゲージで検知することにより鍵の収納状態を直接的に検知できて、複雑な処理回路や各種調整作業が不要となり構成簡易にして安価なキーボックスを得ることができると共に、変位板の変位を歪みゲージで安定して検知できて、信頼性の高いキーボックスを得ることができる。
【０００８】
また、請求項２に記載の発明によれば、請求項１に記載の発明の効果に加え、変位板の長手方向の一端側に固定部が設けられ長手方向の他端側に鍵載置部が設けられると共に、載置部と固定部間に幅狭な括れ部が設けられてこの括れ部に歪みゲージが固着されているため、載置部に載置される鍵の重量による括れ部の変位量（撓み量）を大きくして、歪みゲージにより鍵の収納状態を精度良く検知することができる。
【０００９】
また、請求項３に記載の発明によれば、請求項２に記載の発明の効果に加え、鍵載置部が括れ部に連設された傾斜部及び傾斜部の端部に設けられた水平部を有し、鍵載置部上に載置される鍵の少なくとも一部が水平部上に位置して収納されるため、鍵載置部上に載置された鍵が傾斜部の傾斜面により水平部側に自動的に移動し、該水平部に鍵の重量が作用して変位板の変位量を増大させ、鍵の収納状態を一層精度良く検知することができる。
【発明を実施するための最良の形態】
【００１０】
以下、本発明の実施の形態を図面に基づいて詳細に説明する。
図１〜図８は、本発明に係わるキーボックスの一実施形態を示し、図１がその斜視図、図２がカバー透視図、図３が図２のＡ−Ａ線に沿った断面図、図４が変位板の平面図及び正面図、図５がキーボックスとリモコンの接続状態の制御系の概略ブロック図、図６がリモコンの斜視図、図７が使用方法の一例を示す説明図である。
【００１１】
図１に示すように、キーボックス１は、薄型の略直方体形状のボックス本体２を有し、このボックス本体２の前面開口部には蓋体としてのカバー３が開閉可能に配設されている。また、ボックス本体２は、図２及び図３に示すように、その内部の右寄りに、底面、上面、左右の側面及び背面により前面に所定大きさの開口４ａが形成された鍵収納部４が設けられると共に、内部の左寄りには、非常用の錠５と後述する基板６等が収納配置されている。なお、ボックス本体２の左寄りに配置される前記錠５等については、従来と略同様に構成されているため、その詳細な説明は省略する。
【００１２】
そして、前記鍵収納部４の底面側には変位板７が配置されている。この変位板７は、図４に示すように、薄いバネ鋼板等により固定部７ａと鍵載置部７ｂ及び括れ部７ｃを有する如く形成されている。この時、鍵載置部７ｂは、変位板７の長手方向の一端部に設けられた固定部７ａに対して、斜め下方に向けて傾斜する傾斜部７ｂ１と、この傾斜部７ｂ１の端部である変位板７の長手方向の他端部に形成された水平部７ｂ２を有している。
【００１３】
そして、変位板７の固定部７ａが水平状態で鍵収納部４の側面側に設けた支柱８に支持されると共に、他端側の水平部７ｂ２が鍵収納部４の底面から所定寸法浮いた状態で配置されることにより、変位板７が鍵収納部４の底面側に片持ち状態で支持されている。また、この変位板７の括れ部７ｃの例えば裏面には、検知手段としての歪みゲージ９が接着剤等により固着されている。この歪みゲージ７としては、例えばベース寸法が９．４×２．８ｍｍでゲージ抵抗が１２０Ω程度のリード線付きのものが使用されるが、変位板７の変位（歪み、撓み量等）を電気信号として検知し得る適宜のゲージを使用することができる。また、前記支柱８の上面には変位板７の上方への変位を規制するガイド板１０が固着されている。
【００１４】
なお、ボックス本体２の鍵収納部４の大きさや変位板７の鍵載置部７ｂの大きさは、収納される鍵１１大きさに応じて、鍵１１が図３に示すように変位板７上に載置され得る大きさに設定されている。また、ボックス本体２に内蔵される前記基板６としては、歪みゲージ９の検知信号を処理する処理回路が組み込まれた基板か、もしくは検知信号を後述するリモコン１２にそのままの状態で送信する中継基板等が使用される。
【００１５】
次に、このように構成されたキーボックス１の使用方法の一例を図７に基づいて説明する。先ず、前記キーボックス１は、体育館の入口近傍の電設用ボックスや所定の壁面に、図５に示すようにしてリモコン１２と共に設置されて使用される。この時、リモコン１２は、図６に示すように、警備状態や歪みゲージ９の状態を表示する液晶表示部１２ａと、各状態を音声で知らせるスピーカ部１２ｂと、カードデータ等を読み取る非接触型の読み取り部１２ｃと、操作釦１２ｄ等によって構成されている。そして、このリモコン１２は、その内部に、ＣＰＵ１３、ＲＯＭ１４、ＲＡＭ１５、前記キーボックス１の歪みゲージ９の信号が入力されるインターフェース（Ｉ／Ｆ）１６等を有すると共に、ＣＰＵ１３で処理した所定の信号を警備会社１８に送信する送信部１７等が制御基板上に構築されて配置されている。
【００１６】
このリモコン１２とキーボックス１の設置状態において、体育館の使用者が鍵１１を開けて体育館に入ろうとする場合は、図７に示すように、リモコン１２を操作して警備会社１８により警戒状態に設定されているキーボックス１の警戒状態を解除（Ｋ１）し、キーボックス１のカバー３を例えば自動で開放（Ｋ２）させる。カバー３が開放されるとボックス本体２の鍵収納部４の開口４ａが開放され、内部の変位板７上に載置されている鍵１１が使用者により取り出される（Ｋ３）。
【００１７】
この鍵１１の取り出しにより、鍵１１の重量が変位板７に作用しなくなって変位板７の鍵載置部７ｂがそのバネ力により元の位置である図２の実線で示す位置に戻り、歪みゲージ９が鍵１１が収納されていない状態を検知、すなわち歪みゲージ９から鍵無し信号が基板６を介してリモコン１２に出力される。そして、使用者がこの取り出した鍵１１を使用して体育館のドアの錠を解除することにより、体育館の使用が可能となる。
【００１８】
一方、体育館の使用が終了した場合は、鍵１１によりドアの錠を施錠し、この施錠した鍵１１をキーボックス１の鍵収納部４内に収納（Ｋ４）する。この鍵１１の収納時に、鍵１１を鍵収納部４内の変位板７の鍵載置部７ｂ上に載置すると、鍵１１の重量により変位板７が図２の二点鎖線で示すように下方に変位して歪みゲージ９が鍵の収納状態を検知、すなわち歪みゲージ９から鍵有り信号がリモコン１２に出力される。この時、変位板７の固定部７ａ側に括れ部７ｃが設けられていることから、鍵１１を鍵載置板７ｂ上に載置すると変位板７がこの括れ部７ｃを介してスムーズに変位すると共に、鍵１１が鍵載置部７ｂの傾斜部７ｂ１に沿って平面部７ｂ２方向に移動して変位板７の他端側に位置することになり、鍵１１の重量が変位板７の自由端となる他端側に効果的に作用して変位板７の変位量が最大量となる。これにより、鍵１１を変位板７の鍵載置部７ｂ上に単に載置するだけで、歪みゲージ９で鍵有り信号が確実に検出されることになる。
【００１９】
そして、鍵１１を変位板７上に載置して収納したらカバー３を閉じ（Ｋ５）、その後リモコン１２を操作して警戒設定（Ｋ６）することにより、リモコン１２の送信部１７から警戒信号が警備会社１８に送信されて警戒状態に設定される。つまり、体育館用の鍵１１をキーボックス１の変位板７上に載置したり取り出すだけで、鍵１１の重量に応じた変位板７の変位により鍵１１の有無を検知、すなわち鍵１１の載置状態の有無に応じて鍵１１自体の有無を直接的に検知できて、例えばキーボックス１の警戒解除や警戒設定が簡単に行えることになる。
【００２０】
このように、上記実施形態のキーボックス１にあっては、ボックス本体２の鍵収納部４に変位板７を配置すると共に、この変位板７にその変位を検知する歪みゲージ９が固着されているため、鍵１１が載置されることで変位する変位板７の変位を歪みゲージ９で直接的に検知できて、従来のような複雑な処理回路が不要になると共に、鍵１１の重量に対するマイクロスイッチの面倒な荷重調整等も不要となり、構成簡易にして安価なキーボックス１を得ることができると同時に、耐久性に優れた変位板７の変位を安定した特性を示す歪みゲージ９で長期に亘り安定して検知できて、信頼性の高いキーボックス１を得ることが可能となる。
【００２１】
また、バネ鋼材からなる変位板７の長手方向の一端側に固定部７ａが設けられ、長手方向の他端側に鍵載置部７ｂが設けられると共に、載置部７ｂと固定部７ａ間に幅狭な括れ部７ｃが設けられて、この括れ部７ｃに歪みゲージ９が固着されているため、載置部７ｂに載置される鍵１１の重量による括れ部７ｃの変位量（撓み量）を大きくすることができる。特に、鍵載置部７ｂが括れ部７ｃに連設された傾斜部７ｂ１とこの傾斜部７ｂ１の端部に設けられた水平部７ｂ２を有していることから、鍵載置部７ｂ上に鍵１１を載置するだけで、鍵１１を傾斜面７ｂ１に沿って変位板７の他端側である水平部７ｂ１側に自動的に移動させることができて、変位板７の変位量を一層増大させることができる。これらにより、変位板７の変位量を歪みゲージ９により効果的かつ確実に検知できることになる。
【００２２】
さらに、歪みゲージ９として鍵１１の重量に応じた特性のゲージを使用すると共に、この歪みゲージ９が変位板７のあまり大きく変化しない固定部７ａ側の括れ部７ｃに固着されているため、歪みゲージ９自体の極端な撓み等を抑制できて、長期に亘り安定した検知動作を得ることができると共に、歪みゲージ９を変位板７に接着により固着するだけで対応でき、従来のようなカバー３等の他の部材との位置調整や重量調整が不要となり、キーボックス１自体の組付等を向上させて、より安価なキーボックス１の提供が可能となる。
【００２３】
また、カバー３を開放して変位板７上に鍵１１を載置するだけで、歪みゲージ９により鍵１１の有無が自動的に検知されるため、鍵１１の取り出しや収納操作を極めて簡単に行うことができると共に、キーボックス１をリモコン１２と併用することで、警戒設定や警戒解除を簡単かつ確実に行うことができて、使い勝手と操作性に優れた監視システムの構築が可能となる。
【００２４】
なお、上記実施形態において、キーボックス１のカバー３に、図１の二点鎖線で示すように、例えば鍵１１の収納状態を表示するＬＥＤ等の表示灯１９を設けてカバー３を開けない状態で鍵１１の有無を使用者に認識させるようにしても良い。また、上記実施形態における、変位板７の形状、歪みゲージ９の変位板７への固着位置、リモコン１２とキーボックス１のブロック図、カバー３の形状やその開閉機構等は一例であって、例えば変位板７の自由端側に皿状の鍵載置部を設けて鍵１１の載置位置を安定化させたり、リモコン１２とキーボックス１を一体化した構造とする等、本発明に係わる各発明の要旨を逸脱しない範囲において適宜に変更することができる。
【産業上の利用可能性】
【００２５】
本発明は、体育館のドア用キーボックスに限らず、例えば各種ビルや倉庫用等の錠を有する全てのドアのキーボックスに適用できる。
【図面の簡単な説明】
【００２６】
【図１】本発明に係わるキーボックスの一実施形態を示す正面図
【図２】同そのカバー透視図
【図３】同図２のＡ−Ａ線に沿った断面図
【図４】同変位板の平面図及び正面図
【図５】同キーボックスとリモコンの接続状態の制御系の概略ブロック図
【図６】同そのリモコンの斜視図
【図７】同動作の一例を示す説明図
【符号の説明】
【００２７】
１・・・キーボックス、２・・・ボックス本体、３・・・カバー（蓋体）、４・・・鍵収納部、４ａ・・・開口、７・・・変位板、７ａ・・・固定部、７ｂ・・・鍵載置部、７ｂ１・・・傾斜部、７ｂ２・・・平面部、７ｃ・・・括れ部、９・・・歪みゲージ、１１・・・鍵、１２・・・リモコン、１８・・・警備会社、１９・・・表示灯。
【図１】
2008007982.tif 000003
【図２】
2008007982.tif 000004
【図３】
2008007982.tif 000005
【図４】
2008007982.tif 000006
【図５】
2008007982.tif 000007
【図６】
2008007982.tif 000008
【図７】
2008007982.tif 000009